(57)【要約】      （修正有）【課題】大型のプラント設備機器の保全点検に不慣れな作業員であっても、対象機器の点検箇所の特定を短時間にかつ正確に行うことが可能な設備機器の保全点検システムを提供する。【解決手段】カメラ部７２が撮影する設備機器の画像に基づいて、判別部５１が点検対象の機器を判定し、判別部５１は情報管理部６１から点検箇所表示の点検リストを取得し点検箇所を特定の上、情報表示部５２で点検箇所を画像に重ね合わせた画像を作成、画像表示入力部７１は重ね合わせ画像から点検箇所を選択の上、点検リストの点検項目を取得、表示の上、保全点検がなされる。【選択図】図１
2015141542.tif 000002
【特許請求の範囲】
【請求項１】
ＬＡＮに接続され、携帯端末との間で信号を授受する拡張現実サーバとデータベースサーバと監視制御装置とが設けられた設備機器の保全点検システムにおいて、前記携帯端末のカメラ部が撮影する前記設備機器の画像を受信する前記拡張現実サーバの判別部は、画像検索にて点検対象の設備機器か否かの判定を行うとともに、点検対象の設備機器と判別された場合、前記データベースサーバの情報管理部から前記設備機器の点検箇所が表示された点検リストを取得して点検箇所を特定し、前記拡張現実サーバの情報表示部において前記画像上に前記特定した点検箇所を重ね合わせた画像を作成し、
前記携帯端末の画像表示入力部は前記作成された重ね合わせの画像から点検箇所を選択し、前記点検リストの点検項目を取得して表示の上、保全点検がなされることを特徴とする設備機器の保全点検システム。
【請求項２】
前記点検リストには申し送り事項欄が設けられており、前記点検リストは、前記設備機器の保全点検が終了後に前記携帯端末によって申し送り事項が入力され、前記携帯端末によって前記情報管理部および前記監視制御装置に送信されることを特徴とする請求項１に記載の設備機器の保全点検システム。
【請求項３】
前記画像表示入力部は、加えて、前記情報管理部から補修要領を取得して表示し、前記設備機器の点検および補修がなされることを特徴とする請求項１または請求項２に記載の設備機器の保全点検システム。
【請求項４】
前記画像表示入力部は、加えて、前記データベースサーバの故障情報管理部から過去の故障発生時の点検項目を取得および図面管理部から故障対応マニュアルを取得して表示の上、保全点検がなされることを特徴とする請求項１または請求項２に記載の設備機器の保全点検システム。
【請求項５】
前記画像表示入力部は、加えて、前記監視制御装置からアラーム発生状況を取得して表示の上、保全点検がなされることを特徴とする請求項１、請求項２または請求項４のいずれか１項に記載の設備機器の保全点検システム。
【請求項６】
前記画像表示入力部は、加えて、前記監視制御装置のトレンド情報管理部からトレンドグラフを取得して表示の上、保全点検がなされることを特徴とする請求項１、請求項２または請求項４、請求項５のいずれか１項に記載の設備機器の保全点検システム。
【請求項７】
前記保全点検なされた結果は前記点検リストに入力され前記データベースサーバおよび前記監視制御装置にて格納される請求項１から請求項６のいずれか１項に記載の設備機器の保全点検システム。
【発明の詳細な説明】
【技術分野】
【０００１】
この発明は、水処理プラント等における設備機器の保全点検システムに関するものであり、特に機器の点検箇所を画像上に表示する技術に係るものである。
【背景技術】
【０００２】
従来、現場の画像と重畳させ対象物の情報を表示することによって対象物の情報を確認する技術として、端末装置とサーバを備えた情報提供システムであって、前記端末装置は現在位置の位置情報および周辺の画像を取得して、サーバに前記位置情報を送信することによって情報の提供を要求し、これを受信するサーバは前記要求に含まれる位置情報をキーとしてデータベースを検索し、当該位置情報によって示される位置から所定の範囲内に設置された設備の情報を取得し、前記取得した設備の情報と端末装置の位置との距離を計算し、この計算された距離に従って前記取得した設備の情報を順位付けし、前記順位付けされた設備の情報を端末装置に送信して、これを受信する端末装置は前記順位付けに従って前記周辺の画像上で距離に近いものが手前に重畳するように設備の情報を表示する技術が示されている（例えば、特許文献１）。
【先行技術文献】
【特許文献】
【０００３】
【特許文献１】特開２０１２−２４２９３２号公報
【発明の概要】
【発明が解決しようとする課題】
【０００４】
しかしながら上記特許文献１に示されたものは、位置情報をキーとして設備情報である設備の種類（例えば電柱）、当該設備に付帯する設備（例えばトランス、開閉器など）、設備ＩＤ（例えば電柱番号）製造番号、製造メーカ、型番、設置場所（緯度、経度）が表示されるものであり、上記において例えばトランスに設けられたＣＴがどこの箇所に設けられているかの情報は表示されてなく、また前記ＣＴに関する点検すべき項目に関わる情報も何ら表示されていないので、上記特許文献１に示された技術を大型のプラント設備機器の点検に適用すると、対象機器の点検箇所の特定を行うことができず、点検作業に不慣れな作業員では点検箇所を特定するのに時間がかかるとともに点検を適確に行うことができない可能性があるという問題点がある。
【０００５】
この発明は上記のような課題を解決するためになされたもので、点検すべき設備機器の点検箇所と点検項目を画像上に表示することで、点検箇所の特定化を容易とし、点検項目の漏れを防止することで、点検作業時間を短縮し、かつ特定された機器に何らかの不具合を発見した場合に、画像上に表示される要領に基づいて保全を行うことを可能とする設備機器の保全点検システムを提供することを目的とする。
【課題を解決するための手段】
【０００６】
この発明はＬＡＮに接続され、携帯端末との間で信号を授受する拡張現実サーバとデータベースサーバと監視制御装置とが設けられた設備機器の保全点検システムにおいて、携帯端末のカメラ部が撮影する設備機器の画像を受信する拡張現実サーバの判別部は、画像検索にて点検対象の設備機器か否かの判定を行うとともに、点検対象の設備機器と判別された場合、データベースサーバの情報管理部から設備機器の点検箇所が表示された点検リストを取得して点検箇所を特定し、拡張現実サーバの情報表示部において画像上に特定した点検箇所を重ね合わせた画像を作成し、携帯端末の画像表示入力部は作成された重ね合わせの画像から点検箇所を選択し、点検リストの点検項目を取得して表示の上、保全点検がなされるものである。
【発明の効果】
【０００７】
この発明は上記のような構成の設備機器の保全点検システムを採用しているので、点検に不慣れな作業員であっても、点検を必要とする箇所を正確にかつ短時間に特定することが可能であり、また複雑な内部構成を有する機器であっても、点検箇所を画像上で容易に特定でき、保全点検作業の効率化が図れ、ひいてはコスト低減が図れるという効果がある。
【図面の簡単な説明】
【０００８】
【図１】実施の形態１による設備機器の保全点検システムを示すブロック図である。
【図２】実施の形態１による保全点検システムのフローチャートを示す図である。
【図３】実施の形態１による機器画像を示す図である。
【図４】実施の形態１による点検リストを示す図である。
【図５】実施の形態２による設備機器の保全点検システムを示すブロック図である。
【図６】実施の形態３による設備機器の保全点検システムを示すブロック図である。
【図７】実施の形態４による設備機器の保全点検システムを示すブロック図である。
【発明を実施するための形態】
【０００９】
実施の形態１．
以下、この発明の実施の形態１を図に基づいて説明する。
図１は設備機器の保全点検システム１００を示すブロック図であり、ＡＲサーバ（拡張現実サーバ）５０とデータベースサーバ（以下、Ｄ／Ｂサーバと略す）６０と携帯端末７０と監視制御装置８０とで構成されている。
【００１０】
ＡＲサーバ５０とＤ／Ｂサーバ６０とは監視制御装置８０とはＬＡＮによって接続されているとともに、携帯端末７０と無線ＬＡＮによって情報が授受される。
ＡＲサーバ５０には判別部５１と情報表示部５２が設けられており、Ｄ／Ｂサーバ６０には機器の点検項目情報を格納した情報管理部６１が設けられている。また携帯端末７０には画像表示入力部７１とカメラ部７２が設けられている。ＡＲサーバ５０の判別部５１は、携帯端末７０から送信される画像を受信し、この画像から点検対象とする設備の機器や部位であるか否かの判別を行う機能を有する。
【００１１】
情報表示部５２には画像上に情報を重ね合わせて表示する機能を有する。
Ｄ／Ｂサーバ６０の情報管理部６１は、後に詳述する携帯端末７０によって撮影された図３に示す機器画像７２ａ、この図３では直流・交流可変周波数電源の内部構成の機器である、冷却ファン部１、交流可変周波数電源部２、整流電源部３、コンデンサ部、遮断器５及び端子台６に関する一般管理項目や機器の点検項目（電圧、電流、温度上昇、騒音、臭いなど）、点検結果、申し送り事項等を管理する。ここで前記点検項目の表示例として点検リスト６１ａを図４に示す。携帯端末７０は点検作業員が機器設置場所に持ち込み、設備機器やその機器の部位等をカメラ部７２で撮影するとともに、画像表示入力部７１にＡＲサーバ５０、Ｄ／Ｂサーバ６０からの諸情報を表示する。
【００１２】
次に、動作を図２に示すフローチャートを参照して説明する。
ステップ１で携帯端末７０のカメラ部７２で図３に示す機器画像７２ａが撮影され、無線ＬＡＮ経由でＡＲサーバ５０に送信される。
ステップ２でＡＲサーバ５０の判別部５１は画像検索を行い、
ステップ３で判別部５１は機器画像７２ａの機器が点検対象の機器か否かの判別を行う。
この実施の形態１では、機器画像７２ａの機器である直流・交流可変周波数電源が点検対象の機器であり、かつ図３に示した各機器部位の内、冷却ファン部１を除く他の機器、交流可変周波数電源部２〜端子台６が点検対象と判別される。このステップ３で点検対象機器でないと判別されると、ステップ１に戻る。
ステップ４でＡＲサーバ５０の判別部５１は上記直流・交流可変周波数電源に関する点検項目他を含む点検リスト６１ａをＤ／Ｂサーバ６０の情報管理部６１から取得し、ステップ５で判別部５１は機器画像７２ａ上の点検箇所を特定し、ステップ６で情報表示部５２で機器画像７２ａ上に点検箇所を重ね合せた画像を作成する。
ステップ７で携帯端末７０の画像表示入力部７１に上記情報表示部５２で作成された画像を表示する。
ステップ８で携帯端末７０の画像表示入力部７１は表示された点検対象機器に対応する点検箇所を選択し前記点検リスト６１ａから点検項目を取得の上、画像表示入力部７１に表示するとともに保全点検を行う。
ステップ９で点検作業員は点検項目について点検の結果を点検リスト６１ａに入力後、Ｄ／Ｂサーバ６０の情報管理部６１および前記監視制御装置８０に送信する。尚この際、点検結果の申し送り事項がある場合には、点検リスト６１ａの申し送り事項欄に所要事項を入力の上送信する。
【００１３】
以上のように、この実施の形態１による設備機器の保全点検システム１００のステップ１〜ステップ９によって、機器の保全点検が行われるが、実際の点検作業時には時折り微小な補修を必要とする場合がある。このような場合には図２で示したステップ８とステップ９との間に、ステップ８ａとステップ８ｂを設けたものである（図示は省略する）。すなわちステップ８ａは「機器に微小な異常有のとき、携帯端末７０は情報管理部６１から補修要領を取得し、画像表示入力部７１に表示する。」またステップ８ｂは「上記補修要領に基づき補修がなされる。」ものである。このようにして補修がなされ、その結果が点検リスト６１ａに入力される。
【００１４】
このように設備機器の点検を行う際に、実施の形態１による設備機器の保全点検システム１００を採用することにより、点検に不慣れな作業員であっても点検箇所を正確にかつ短時間に特定することが可能で、また複雑な内部構成を備えた機器であっても特定可能となり、さらには点検のみならず微小な補修も実施でき、これらの結果を表示、保存することが可能となり、プラントシステムのより確実な保全を行うことができる。
【００１５】
実施の形態２．
実施の形態２による設備機器の保全点検システム１００のブロック図を図５に示す。この実施の形態２では実施の形態１のＤ／Ｂサーバ６０に故障情報管理部６２、図面管理部６３を追加して設けたものである。各設備機器の運転状態の把握は監視制御装置８０によってなされており、各機器の出力状態や機器状況、さらには故障状況に係る情報を取得、管理し、その情報はＤ／Ｂサーバ６０の故障情報管理部６２、図面管理部６３に格納されている。
【００１６】
故障情報管理部６２には、図３で示した各機器について過去の故障発生状況や対処結果等の情報が収納されている。また図面管理部６３には故障対応マニュアルが収納されている。このような構成を備えた設備機器の保全点検システム１００の動作を説明する。この実施の形態２は前述した図２のステップ８に代替して次のステップ８ｃを備えたものである（図示は省略する）。すなわちステップ８ｃは、「点検リスト６１ａを表示するとともに点検項目について機器の点検を行い、さらに申し送り事項に関する過去の故障発生時の点検項目を故障情報管理部６２から取得するとともに、図面管理部６３から故障対応マニュアルを取得して画像表示入力部７１に表示する。」ものである。
【００１７】
このように、この実施の形態２では実施の形態１の効果に加え、過去の故障に対して、その折に対処された方策が適切であるか否か、あるいは他の故障が顕在化していないか等、点検すべき事項のもれをなくすことができるという効果がある。
【００１８】
実施の形態３．
実施の形態３による設備機器の保全点検システム１００のブロック図を図６に示す。この実施の形態３は前述した図５に追加して監視制御装置８０にアラーム情報管理部８１を設けたものである。このような構成を備えた設備機器の保全点検システム１００の動作を説明する。この実施の形態３は前述した図２のステップ８とステップ９との間にステップ８ｄとステップ８ｅを設けたものである（図示は省略する）。すなわちステップ８ｄは「機器に異常が認められたとき、携帯端末７０の画像表示入力部７１はアラーム情報管理部８１からアラーム発生の有無やその状況を取得して、判別部５１で画像上に重ね合わせて作成した画像を画像表示入力部７１で表示する。」またステップ８ｅは「上記作成された画像に基づき、対象機器の異常の有に対して適確にアラームが発生していたか否かの点検を行う。」ものである。このステップ８ｄとステップ８ｅを設けることの重要性は、点検時に例えばコンデンサ部４が異常に過熱されている場合、図示省略したアラーム発生装置が正常に動作したか否かの確認をしたい場合に有効である。このようにこの実施の形態３では実施の形態２の効果に加え、アラーム発生装置が適確に動作しているか否かの点検が可能となり、点検作業のより高度化がはかれるという効果がある。
【００１９】
実施の形態４．
実施の形態４による設備機器の保全点検システム１００のブロック図を図７に示す。この実施の形態４は前述した図６に追加して監視制御装置８０にトレンド情報管理部８２を設けたものである。このトレンド情報管理部８２には各機器の運転状況や出力された数値がトレンドグラフ化して格納されている。すなわち機器運転のトレンドが上記グラフから読みとれる。次に動作を説明する。この実施の形態４は前述した図２のステップ８に代替して次のステップ８ｆを設けたものである（図示は省略する）。すなわちステップ８ｆは「点検リスト６１ａを表示するとともに、トレンド情報管理部８２からトレンドグラフを取得して表示し、点検項目について機器の点検を行う。」ものである。このことにより、中央制御室における監視制御装置８０では摘出できない項目が点検現場で見い出すことができるという効果がある。
【００２０】
尚、この発明は、その発明の範囲内において、各実施の形態を適宜、変形、省略することが可能である。
【符号の説明】
【００２１】
５０  ＡＲサーバ、５１  判別部、５２  情報表示部、６０  データベースサーバ、
６１  情報管理部、６１ａ  点検リスト、６２  故障情報管理部、６３  図面管理部、
７０  携帯端末、７１  画像表示入力部、７２  カメラ部、８０  監視制御装置、
８１  アラーム情報管理部、８２  トレンド情報管理部、
１００  設備機器の保全点検システム。
【図１】
2015141542.tif 000003
【図２】
2015141542.tif 000004
【図３】
2015141542.tif 000005
【図４】
2015141542.tif 000006
【図５】
2015141542.tif 000007
【図６】
2015141542.tif 000008
【図７】
2015141542.tif 000009